(57)【要約】１８０°超、好適には２４０°の角度で開くことができる金属性パッケージングを提供する。金属材料の第１および第２の外部部分、およびワンピースの非金属材料の内部部分を含み、さらに、その間に要素を格納可能な第１および第２の向かい合った側部、および、前記側部を接続し、パッケージングを開けるために側部が互いに対してある角度内で回転可能とする少なくとも１つの蝶番を形成する蝶番部分を含み、さらに、パッケージングが自動包装装置で包装されるよう適合しているパッケージング。側部の外部表面のかなりの部分を覆うために、前記内部部分の前記それぞれの側部へ外部部分を取り付ける目的で、前記第１および第２の外部部分の周囲の少なくとも一部分は、前記内部部分を保持するよう適合している。
2006513941.tif 000002
【特許請求の範囲】
【請求項１】
金属材料からなる第１および第２の外部部分と、
ワンピースとなるように製造された非金属材料からなる内部部分とを含むパッケージングであって、
上記内部部分が、
その間に要素を格納することができる第１および第２の対向する側部と、
前記側部を繋ぐ少なくとも１つの蝶番を形成し、さらに、パッケージングを開けるために、前記側部が互いに対してある角度内で回転可能であり、さらに、パッケージングが自動包装装置内で包装されるよう適合しているヒンジング部分とを含んでいて、
前記第１および第２の外部部分の周囲の少なくとも一部分は、側部の外部表面のかなりの部分を覆うために、前記内部部分の前記それぞれの側部へ前記外部部分を取り付ける目的で、前記内部部分を保持するようになっているパッケージング。
【請求項２】
パッケージングが閉じた状態で、パッケージングの幅が１３４ｍｍ〜１３８ｍｍの間であり、パッケージングの長さが１８８ｍｍ〜１９４ｍｍの間である、請求項１に記載のパッケージング。
【請求項３】
側部が互いに対して１８０°回転して開いた状態で、パッケージング幅が２８０ｍｍ〜２８６ｍｍの間である、請求項１または２に記載のパッケージング。
【請求項４】
蝶番が、側部が互いに対して、１９０°、または２００°、または２１０°、または２２０°、または２３０°、または２４０°、または２４０°超のように、１８０°以上の角度以内で回転可能となっている、請求項１〜３のいずれか１つに記載のパッケージング。
【請求項５】
第１および第２の外部部分の周囲の少なくとも一部分が、巻き込まれた縁部、および／または、この部分の中間部分により規定される平面に対して、横方向に伸びるフランジを含んでいる、請求項１〜４のいずれか１つに記載のパッケージング。
【請求項６】
第１および第２の側部が、前記側部と前記外部部分との間に付属部品を提供するために、前記第１および第２の外部部分上に提供された対応する突起を受ける、周囲に沿ったくぼみを含んでいる、請求項１〜５のいずれか１つに記載のパッケージング。
【請求項７】
第１および第２の外部部分がＵ字形断面をしており、その「Ｕ」字の脚が内部部分を保持する突起を含んでいる、請求項１〜６のいずれか１つに記載のパッケージング。
【請求項８】
内部部分が、接着剤、および／または溶接、および／または少なくとも１個のバネ錠により、第１および第２の外部部分に取り付けられている、請求項１〜７のいずれか１つに記載のパッケージング。
【請求項９】
内部部分が、成形により、第１および第２の外部部分と一体化されている、請求項１〜８のいずれか１つに記載のパッケージング。
【請求項１０】
内部部分が、第１および第２の部分を内部部分へロックするために、突起として提供される１つ以上のロッキングピンを含んでいる、請求項１〜９のいずれか１つに記載のパッケージング。
【請求項１１】
内部部分の後部部分が、２つの側部間のヒンジング部分を構成し、さらに、後部部分は金属部分／層で覆われている、請求項１〜１０のいずれか１つに記載のパッケージング。
【請求項１２】
パッケージングが閉じられているとき、後部部分がパッケージングの後部側部の最外縁と同じ高さとなるよう、内部部分の後部縁が、内部部分の内部領域に向かって内部に移動する、請求項１１に記載のパッケージング。
【請求項１３】
後部部分を覆う金属部分／層が、後部部分の上下縁を囲んで曲げられたスリップを含み、それにより金属部分／層が取り付けられている、請求項１１または１２に記載のパッケージング。
【請求項１４】
ヒンジング部分が、内部部分の各側部に１つずつ、２つの蝶番を含んでいる、請求項１〜１３のいずれか１つに記載のパッケージング。
【請求項１５】
２つの蝶番が、パッケージングの後側上に溝を形作り、前記溝が、第１および第２の外部部分上の対応する突起および／または金属層／部分と係合するようになっており、それにより、これらが内部部分に取り付けられる、請求項１４に記載のパッケージング。
【請求項１６】
内部部分が保持部材を含んでおり、この保持部材が、格納されるべき要素を予め決定された位置に保持する保持位置と、要素を保持しない非保持位置との間を移動するようになっている、請求項１〜１５のいずれか１つに記載のパッケージング。
【請求項１７】
保持位置内で保持部材を保持するようになっている、セキュリティ部材をさらに含んでいる、請求項１６に記載のパッケージング。
【請求項１８】
セキュリティ部材が信号発生手段を含んでいる、請求項１７に記載のパッケージング。
【請求項１９】
信号発生手段が、電磁信号、および／または、磁場を発生するようになっている、請求項１８に記載のパッケージング。
【請求項２０】
格納されるべき要素がデータ担持要素を含んでいる、請求項１〜１９のいずれか１つに記載のパッケージング。
【請求項２１】
データ担持要素が中央穴を含んでいる、請求項２０に記載のパッケージング。
【請求項２２】
内部部分が、データ担持要素のための固定具を含んでいる、請求項１〜２１のいずれか１つに記載のパッケージング。
【請求項２３】
格納されるべき要素の直径が、１１９．７〜１２０．３ミリメートルの間、または７８．８〜８０．２ミリメートルの間である、請求項１〜２２のいずれか１つに記載のパッケージング。
【請求項２４】
第３の外部寸法が、１４．７〜１５．３ミリメートルの間である、請求項１〜２３のいずれか１つに記載のパッケージング。
【請求項２５】
第１および／または第２の外部部分が装飾を含んでいる、請求項１〜２４のいずれか１つに記載のパッケージング。
【請求項２６】
第１および／または第２の外部部分が、ホログラム、格子、または写真のような表面装飾飾りを含んでいる、請求項１〜２５のいずれか１つに記載のパッケージング。
【請求項２７】
表面装飾飾りが、外部部分の表面内に浮彫りにされている、請求項１〜２６のいずれかに記載のパッケージング。
【請求項２８】
表面装飾飾りが、基板処理装置により浮彫りを施され、前記装置が、ツールプランと反応プランを有していて、
ツールプランは、実質的に硬い外部表面を有するコア、および、コアの表面に取り付けられた少なくとも１つのツールのような多層構造を含み、
フレキシブルな力吸収手段が、平面により適用される力を局所的に吸収するよう、ツールプランおよび／または反応プランの少なくとも一部分に提供されるようになっている、請求項２６または２７に記載のパッケージング。
【請求項２９】
内部部分が実質的に透明である、請求項１〜２８のいずれか１つに記載のパッケージング。
【請求項３０】
内部部分が透明な色を含んでいる、請求項１〜２９のいずれか１つに記載のパッケージング。
【請求項３１】
第１および第２の外部部分の周囲の一部分が、パッケージングを開けるのに使われるくぼみを含んでいる、請求項１〜３０のいずれか１つに記載のパッケージング。
【請求項３２】
第１および／または第２の側部、および／または、ヒンジング部分が、パッケージングが閉じているときに、内部部分の第１または第２の側部に向かって、格納された要素を押しつけるよう適合した、１つ以上の突起を含んでいる、請求項１〜３１のいずれか１つに記載のパッケージング。
【請求項３３】
第１および第２の側部が案内部材を含んでおり、それにより、パッケージングが閉じているとき、２つの側部を互いに対して案内する、請求項１〜３２のいずれか１つに記載のパッケージング。
【請求項３４】
内部部分の第１の側部が、内部部分の第２の側部上に位置決めされた、雌部材と係合するようになっている、テーパエンドを有する雄部材を含む案内部材を含んでいる、請求項３３に記載のパッケージング。
【請求項３５】
第１および／または第２の外部部分の一部分が、パッケージングの内容を示す、浮彫りにされた表面装飾飾りを含んでいる、請求項１〜３４のいずれか１つに記載のパッケージング。
【請求項３６】
内部部分、および／または、第１および第２の外部部分が、パッケージングを閉じられた位置に保つ、ロック手段を含んでいる、請求項１〜３５のいずれか１つに記載のパッケージング。
【請求項３７】
ロック手段が、磁石、または雌雄ロック手段を含んでいる、請求項３６に記載のパッケージング。
【請求項３８】
内部部分が、透明プラスチック、または着色プラスチックなどのプラスチックで製造されている、請求項１〜３７のいずれか１つに記載のパッケージング。
【請求項３９】
第１および第２の外部部分が、鉄鋼、スズ、またはアルミニウムで製造されている、請求項１〜３８のいずれか１つに記載のパッケージング。
【請求項４０】
第１および第２の外部部分が、装飾的な、金属または非金属層を含んでいる、請求項１〜３９のいずれか１つに記載のパッケージング。
【請求項４１】
内部部分が、各側部上に、それぞれが、実質的に第１および第２の部分の形状および厚さに対応する、形状および深さを有する凹所を含んでいる、請求項１〜４０のいずれか１つに記載のパッケージング。
【請求項４２】
第１および第２の部分の形状が、曲げられ、または押出され、または圧伸されることにより提供される、請求項１〜４１のいずれか１つに記載のパッケージング。
【請求項４３】
第１および第２の部分が、共に、内部部分の側部の外部表面の全体を、それぞれ覆っている、請求項１〜４２のいずれか１つに記載のパッケージング。
【請求項４４】
ヒンジング部分が、側部を、互いに対して、例えば２４０°など、２００°以上の角度以内で回転可能にし、それによりパッケージングを開けることができる、請求項１〜４３のいずれか１つに記載のパッケージング。
【請求項４５】
内部部分が、要素を保持するために、第１および／または第２の側部上に提供された、複数の保持部材を含んでいる、請求項１６〜４４のいずれか１つに記載のパッケージング。
【請求項４６】
中央穴を含む光学記録媒体を、パッケージング内に保持する保持部材であって、
該部材は、ベース部分上の円上に隣接して配置され、リリースタップを囲む複数のタップを含んでおり、タップは前記穴の縁と係合するようになっており、さらに、タップは、前記ベース部分に向かってリリースタップを押すと、媒体からタップをリリースするようになった形で、前記ベース部材に対して高い位置に位置決めされている保持部材。
【請求項４７】
媒体が、ＣＤまたはＤＶＤを含んでいる、請求項４６に記載の保持部材。
【請求項４８】
保持部材が、１枚、２枚、または３枚の、積み重ねられたＣＤまたはＤＶＤを保持するようになっている、請求項４７に記載の保持部材。
【請求項４９】
請求項１から請求項４５のいずれか１つに記載のパッケージングにおいて用いられる、請求項４６〜４８のいずれかに記載の保持部材。
【発明の詳細な説明】
【技術分野】
【０００１】
本発明は、パッケージングがプラスチックパッケージング用の自動包装装置で包装されるよう適合している、コンパクトディスクまたはＤＶＤのようなデータ担持要素などの要素を格納する、メタルパッケージングに関する。
【背景技術】
【０００２】
ＣＤおよびＤＶＤ産業は、何十年間にもわたり、メタルパッケージングの開発のために、合計総額がかなりのものとなる金員を投資してきた。しかしながら、これら全ての多くの努力を持ってしても、この産業でプラスチックパッケージングに対して一般に使われる、標準的な自動包装装置により包装可能なメタルパッケージングを生むことはなかった。
【０００３】
こうした自動包装装置への投資総額は莫大であり、また、ＣＤおよびＤＶＤ産業で生産されたパッケージングの総数も、１年あたりで５０億個を超えている。
【０００４】
ＣＤ、およびＤＶＤ、および他の形式のメディア用パッケージングの構成材料としての金属は、パッケージングに実質的な追加強度を与え、高級感を提供することを含む、多くの利点を有している。また、表面上に直接、表面装飾飾りを浮彫り可能であり、さらに、金属表面上への印刷がより容易であるという利点もある。
【０００５】
しかしながら、すでに説明したように、ＣＤおよびＤＶＤ産業は、これらの利点を、その産業における自動包装装置で包装可能な能力と、結合させて利用するパッケージングを提供できなかった。包装装置では、パッケージングは、１８０°超、好適には２４０°の角度で、本のように開けられ得る必要がある。こうした包装装置の例は、図２５に示されている。
【０００６】
一般のプラスチック製のＣＤおよびＤＶＤパッケージングは、その角度で曲げることが可能であるが、これは、実際のパッケージングとそれに巻きつけられた透明ホイルとの間に、印刷された紙カバーを挿入する過程で必要である。プラスチック製のパッケージングが２４０°曲げられると、透明ホイルとパッケージングとが分離して、それにより、印刷された紙カバーを挿入するスペースができることになる。これが可能となるよう、ＣＤおよびＤＶＤのプラスチックパッケージングは、おおむね３６０°の角度でパッケージングを開けるために、パッケージングの側部が互いに対して回転可能な蝶番を有している。
【０００７】
今までに開発されたメタルパッケージングでは、１８０°超、好適には２４０°の角度でこうしたパッケージングを本のように開けられないので、この能力を有してはいない。こうしたパッケージングは、図２４に示されている。
【０００８】
したがって、課題は、例えば、メタルパッケージングが１８０°超、好適には２４０°の角度で本のように開けられるなど、自動包装装置において、メタルパッケージングが、プラスチックパッケージングのように「ふるまう」、または模倣可能となるのを実現することである。
【０００９】
こうしたパッケージングに対する市場における要望は計り知れないが、技術的課題はさらに大きい。その理由は、すでに説明したように、こうしたパッケージングでは、異なる材料、すなわち、金属と例えばプラスチックなど、の一体化が可能でなければならないからである。このため、金属とプラスチックとが連携する場合の、許容耐性に注目しなければならない。
【００１０】
今日に至るまで、誰一人として、自動包装装置によりプラスチックパッケージングとして「感知され」、すなわち、１８０°超、好適には２４０°の角度でメタルパッケージングを開けることができ、なおかつ、金属が例えばプラスチックと確実に連携するような、メタルパッケージングの製造に成功していない。
【００１１】
ＣＤおよびＤＶＤのような、データ担持要素の格納に適したパッケージングは、当技術分野で既知である。
【００１２】
特許文献１は、プラスチック製の支持フレーム、およびラミネートされた可撓体で構成された、記録媒体または他のアイテム用パッケージング構造を開示している。
【００１３】
特許文献２および特許文献３は、金属を含むシステムを開示している。しかしながら、これらのパッケージングシステムは、金属材料の特性に起因して、本のように設計することはできない。
【００１４】
特許文献４は、ディスクを収容する大きさの、プラスチックで成型された容器を含む、ＣＤまたはＤＶＤ用ホルダーを開示している。この内壁上の容器の側部に沿い、一体の蝶番が存在している。容器の側部を押すことにより、スリットが広がってギャップとなり、そのギャップをディスクが通過する形で、ディスクはホルダーに出し入れされる。ホルダーの側部を分離することはできない。
【００１５】
特許文献５は、レーザまたは光学読取可能ディスクの格納に用いる、複合合成パッケージングを開示している。このパッケージングは、ディスクを格納する軽量フレームを含んでおり、さらに、そのフレームは、フレームの外側表面に接着した鞘に囲まれている。フレームはプラスチック製で、鞘は、高い柔軟性を要する蝶番の一部を形成するので、板紙などのような適当な可撓性材料で製造されている。
【００１６】
メディアの格納／包装に関する他の文献は、特許文献６、特許文献７、特許文献８、特許文献９、特許文献１０、特許文献１１、特許文献１２、特許文献１３、特許文献１４、特許文献１５、特許文献１６、特許文献１７、特許文献１８、特許文献１９、特許文献２０、特許文献２１および特許文献２２である。
【００１７】
【特許文献１】欧州特許第０  ５７６  ２５６Ｂ１号公報
【特許文献２】欧州特許第０  ７４４  ７４６号公報
【特許文献３】欧州特許第０  ８７４  ７６８号公報
【特許文献４】米国特許第６，４３１，３５２号明細書
【特許文献５】国際特許公開第ＷＯ  ９６／３５６２８号公報
【特許文献６】米国特許第６，２２０，４３１号明細書
【特許文献７】欧州特許第０  ８９５  ２４３号公報
【特許文献８】米国特許第４，７１４，１５７号明細書
【特許文献９】米国特許第５，９０８，１０９号明細書
【特許文献１０】米国特許第６，３７５，００３号明細書
【特許文献１１】米国特許第５，７２５，１０５号明細書
【特許文献１２】欧州特許第０  ６７１  ７４３号公報
【特許文献１３】国際特許公開第ＷＯ  ０３／０２３７８３号公報
【特許文献１４】欧州特許第１  １００  ０８８号公報
【特許文献１５】国際特許公開第ＷＯ  ００／７４０５７号公報
【特許文献１６】フランス特許第２  ７５３  ２９７号公報
【特許文献１７】米国特許第４，７２２，４３９号明細書
【特許文献１８】米国特許第５，４７７，９６１号明細書
【特許文献１９】欧州特許第０  ８６６  ４５８号公報
【特許文献２０】米国特許第５，７８８，０６８号明細書
【特許文献２１】米国特許第６，５０２，６９４号明細書
【特許文献２２】米国特許第Ｄ４７３，５２０号明細書
【発明の開示】
【発明が解決しようとする課題】
【００１８】
これらのシステムに共通する特徴は、これらが、すなわち、金属材料の特性に起因して、１８０°超、好適には２４０°の角度で開くことができる能力がある本のようには、設計することができず、したがって、自動包装装置で包装できないことである。
【００１９】
本発明の目的は、上記の不都合を克服したメタルパッケージングを提供することである。
【００２０】
したがって、本発明の目的は、新規な自動包装装置の開発および実現に要する、極めて多額な追加的金員の投資を回避するために、従来型の自動包装装置に適合し、その装置内で包装可能なメタルパッケージングを提供することである。
【００２１】
本発明のさらなる目的は、既知のパッケージングよりも改良された強度、および高級感のある外観を有する、ＣＤまたはＤＶＤ用のパッケージングを提供することである。
【課題を解決するための手段】
【００２２】
上記の目的を達成するため、概して、外部の金属部分が、パッケージングを開く蝶番を備えた非金属材料の内部部分に取り付けられる形で構成された、パッケージングが提供される。これにより、プラスチックなどの非金属材料について既知となっている設計の自由、および金属独自の強度を実現しながらも、なおかつ、パッケージングは、自動包装装置アセンブリ内で包装可能なものとなっている。したがって、第１態様によると、本発明は、以下を含むパッケージングに関連している；
金属材料の第１および第２の外部部分、
ワンピースとなるように製造され、以下を含んでいる非金属材料の内部部分；
その間へ要素を格納可能な、向かい合った第１および第２の側部、
前記側部を繋ぐ少なくとも１つの蝶番を形成し、さらに、パッケージングを開けるために、側部が互いに対してある角度内で回転可能であり、さらに、パッケージングが自動包装装置内で包装されるよう適合しているヒンジング部分、
側部の外部表面のかなりの部分を覆うために、内部部分の前記それぞれの側部へ外部部分を取り付ける目的で、前記内部部分を保持するよう適合した、前記第１および第２の外部部分の周囲の少なくとも一部。
【００２３】
パッケージングが閉じた状態では、パッケージングの幅は１３４ｍｍ〜１３８ｍｍの間であり、パッケージングの長さは１８８ｍｍ〜１９４ｍｍの間であるのが好ましい。
【００２４】
側部が互いに対して１８０°回転して開けられた状態では、パッケージングの幅は２８０ｍｍ〜２８６ｍｍの間であるのが望ましい。
【００２５】
蝶番は、側部が互いに対して、１９０°、または２００°、または２１０°、または２２０°、または２３０°、または２４０°、または２４０°超のように、１８０°以上の角度内で回転可能となっているのが好ましい。
【００２６】
パッケージングの内部部分は、グループを成した、または均等に配分された、１つ以上の蝶番を含むヒンジング部分により、相互連結されている第１および第２の側部を含み、ワンピースに製造されるのが好ましい。
【００２７】
第１および第２の側部は、一緒に、要素を格納可能なキャビティを形作る。これにより、パッケージングの２つの側部が、１８０°超、好適には２４０°の角度で、本のように開けられることを要する、自動包装装置内での包装に不可欠な、パッケージングを、１８０°以上、好適には２４０°の角度で、本のように開閉する可能性が提供されることになる。これは、側部を、１８０°超、好適には２４０°の角度で、後方に曲げることが可能となるよう、内部部分およびヒンジング部分が軟質プラスチックなどの可撓性材料で製造されている、本発明に従うパッケージングにおいて可能となる。
【００２８】
第１および第２の外部部分の周囲の少なくとも一部分は、内部部分を保持するよう適合させることができる。第１および第２の外部部分の周囲の少なくとも一部分は、カールされた縁部分、および／または、この部分の中間部分により規定される平面に対して、横方向に伸びているフランジを含んでいる。したがって、内部部分は、第１および第２の外部部分に押し込まれてもよく、取り出すには、カールされた縁部分を通らなければならない。曲がり部分、およびカールされた縁部分は、パンチング装置または深絞り装置により提供可能である。こうした装置は、この部分の周囲の少なくとも一部分に、前記カールされた縁部分、および／または、横方向に伸びるフランジ（または、この部分の他のいかなる領域であれ）を含む部分を製造する可能性を提供する。前記巻き込まれた部分は、縁をロールするステップにより提供可能である。ロールされたカール部分は、コーナーの曲がり半径に応じて、外部部分の周囲全体を囲む形で延長可能である。
【００２９】
外部部分のカーリングは、既知のメタルパッケージングとは反対に、鋭い縁部が存在していないことを確実にする。
【００３０】
好適な実施例では、外部部分は殻様部材を包んでおり、この殻様部材は、上方向に伸びる側壁を有する中間部分から成り、その結果、内部部分は前記殻内に押し込まれる。側壁は、内部部分を保持するよう、内部部分の対応する縁部分の周りをグリップするよう適合した、カールされた、または僅かに曲がった縁部分で終わっているのが好ましい。
【００３１】
パッケージングは四角形であるのが好ましく、さらに、殻様部材は、その殻が少なくとも３つの側部で実質的に内部部分の側部を囲むよう、少なくとも３つの縁に、上方向に伸びる側壁を有している。
【００３２】
１つの実施例では、第１および第２の側部は、前記側部と前記部分との間に付属部品を提供するために、前記外部部分上に提供される対応する突起を受ける、周囲に沿うくぼみを含んでいる。したがって、第１および第２の部分は、それらをクリックすることにより、内部部分に取り付け可能である。
【００３３】
第１および第２の部分はＵ字形をしていて、その「Ｕ」字の脚部が部分の側壁を形作っており、さらに、前記側壁は内部部分に取り付けるための突起を含み得る。
【００３４】
代替的にまたは追加的に、内部部分は、接着剤、および／または溶接、および／または少なくとも１個のバネ錠により、第１および第２の部分に取り付けられてもよい。
【００３５】
内部部分は、注入成形により、第１および第２の部分と一体化されてもよい。したがって、内部部分は、第１および第２の部分の周りに成形されてもよい。これは、成形を実行するツール内に外部部分を配置する、差し込み成形により実行されてもよい。
【００３６】
所望される設計に応じて、ブロー成形、押出し、または熱成形のような他の製造処理も適切である。
【００３７】
第１および第２の部分は、例えば、好適な広告タイプに応じて、内部部分にリベットで止められるか、またはねじで止められてもよい。
【００３８】
外部部分は、内部部分の外部表面の一部または全体を覆っていてもよい。好適な実施例では、外部部分は、実質的に、内部部分の外部表面全体を覆っている。外部部分がＵ字形をしている実施例では、外部部分は、中央部分と内部部分の２つの側部のみを覆っている。
【００３９】
パッケージングは、ロッキング部分上での、いかなる「ポスト絞り」も必要とすることなく、ワンステップのみで閉じられるのが好ましい。したがって、ロッキング部分は、閉じる力の量を減少させ、さらに、パッケージングが確実にワンステップで閉じられるよう、パッケージングを本のように開閉するために使われるくぼみ近くに配置されているのが好ましい。さらに、外部部分は、パッケージングを開閉するときに捩れないような、より硬いカバーを提供するために、実質的に厚く、および／または、補強用リブを含んでいてもよい。
【００４０】
第１および第２の部分の縁部分は、開けるために使われる前記くぼみを含めて、内部部分の２つの側部の各々の縁部分全体を囲む形で延長可能である。したがって、このくぼみは、強靭で、固いハンドグリップを提供するよう、金属で形成可能である。
【００４１】
内部部分は、第１および第２の部分を内部部分へロックするために、突起として提供される１つ以上のロッキングピンを含んでいてもよい。前記ピンは、第１および第２の部分（これらの部分が内部部分に取り付けられる場合）の前記くぼみに隣接する位置で、内部部分上に提供されるのが好ましい。したがって、ピンは、その間をロックするために、第１および第２の部分の縁部分にそれぞれ係合可能であり、その結果、第１および第２の部分が偶然に内部部分から外れてしまうことが回避される。
【００４２】
特に、金属の縁部分は、外部部分上に提供され、さらに、各側部の後部縁を構成する、すなわち、蝶番領域付近の縁を構成する、内部部分の２つの側部の各側部に沿って伸びている。
【００４３】
内部部分の後部部分は、２つの側部間のヒンジング部分を構成可能であり、さらに、後部部分は金属部分／層で覆われていてもよい。パッケージングが閉じられているとき、後部部分がパッケージングの後部側部の最外縁と同じ高さとなるよう、後部縁は、内部部分の各２つの側部の内部領域に向かって内部に移動するのが好ましい。後部部分を覆う金属部分／層は、後部部分に接着可能である。代替的に、または追加的に、金属部分／層は、後部部分の上下縁を囲んで曲げられたスリップを含んでいてもよく、それにより金属部分／層が取り付けられる。金属部分／層の縁は、その硬さを補強するために、曲げられるか、またはカールされていてもよい。金属部分／層は、差し込み成形、および／または、クリック‐オン手段により、後部部分に取り付けられてもよい。
【００４４】
好適な実施例では、ヒンジング部分は、内部部分の各側部に１つずつ、２つの蝶番を含んでいる。好ましくは、各蝶番は、パッケージングの後部側上で内側に伸びる溝を形作り、その溝は、各外部部分上の突起が、それぞれ溝に入って係合するよう、第１および第２の外部部分を内部部分上へクリック‐オンするように提供される。さらに、後部部分を覆う上記金属層／部分は、クリック‐オンにより後部部分に取り付け可能である。溝は、蝶番の全長に沿って伸びているのが好ましく、それにより、外部部分および金属層／部分上の各突起部を形作る、カールされた、または曲がった対応する縁が、その全長に沿って伸びることになり、この部分／層を補強する。
【００４５】
さらに、溝は、前記外部部分および金属部分／層上のいかなる鋭い縁も、前記溝によって隠され、または囲まれる形で提供されており、それにより、いかなる鋭い縁も、目視かつ接触することができない。
【００４６】
１８０°の角度でパッケージングが開けられるとき、２つの蝶番の間の後部部分の高さは、内部部分の２つの側部の高さより高くなっているのが好ましい。したがって、後部部分は、側部と関連して内側へ移動する。この実施例では、パッケージングが閉じているとき、後部部分は、パッケージングの内部に向かって、より内側に移動することが可能で、それにより、内部部分は強度を増し、外部金属部分により良好に覆われたより滑らかな仕上りを提供することになる。説明された実施例は、図２１に示されている。
【００４７】
後部部分に金属部分／層を取り付けるとき、２つの材料を結合するには、膠のような接着剤など、適切な接着手段を選択し、２つの材料の連携を容易にするような、特定の予防措置が必要である。
【００４８】
好適な実施例では、金属部分／層は、後部部分の全体は覆っておらず、その結果、後部部分は、不十分な大きさになることなく寸法の変更が可能となり、さらに、天気の状況などの様々な状況の下において、２つの材料の異なる反応を吸収可能な一連の手段から、膠のような接着剤などの取り付け手段が選択される。
【００４９】
取り付け手段は、ＴＥＳＡ  ４９６５、および／または、３Ｍ９０８８ＦＬなどの「両面」接着性の接着剤が望ましい。しかしながら、様々な状況下での２つの材料の異なる反応を吸収可能な、いかなる膠または他の接着剤であっても使用可能である。
【００５０】
他の実施例では、後部部分は、金型内ラベリングにより標識付けされている。
【００５１】
パッケージングは案内部材を含んでいるのが好ましく、それにより、閉じステップは、パッケージングの２つの側部が互いに対して動かないよう制御する方法で、実行されることになる。案内部材は、雌部材に嵌合するテーパ終端（円錐形の終端など）を有する雄部材を含んでいてもよい。前記案内部材は、内部部分のコーナーに位置決めすることが可能であり、そうすることにより、パッケージングのコーナーが補強される。したがって、第１および第２の外部部分のコーナーは、パッケーングが落とされても、へこむことはない。
【００５２】
他の実施例では、案内部材は、パッケージングが閉じられるとき、互いに最初に出合うコーナーに隣接して提供される。案内部材は、前記側部のうちの１つの上に提供され、さらに、それに対面する側部上に提供された溝に係合するよう適合した、１つ以上の突起を含んでいる。
【００５３】
内部部分と、第１および／または第２の外部部分との間には、スペース（０．５ｍｍなど）が存在しているのが好ましく、それにより、外部部分の内部側部内に、浮き彫りにされた装飾飾りを内側へ広げるためのスペースが提供され、および／または、内部部分の外部側部内に、浮き彫りにされた装飾飾りを外側へ広げるためのスペースが提供される。このスペースは、それが成形されるとき、内部部分の少なくとも一部分を皿穴にすることにより取得されてもよい。装飾飾りの浮彫りが、外部部分の外側へ広がる必要がある場合は、浮彫りに先立って、前記装飾飾りを含む部分を皿穴にすることもでき、それにより、浮き彫りが表面に提供されても、パッケージングは互いの上に積み重ねることができる。
【００５４】
また、内部部分の内部側部上に装飾飾りを浮彫りにすることもできる。
【００５５】
内部部分、および／または、第１および／または第２の外部部分は、本のようなパッケージングをロックするよう適合したロックとして役立ってもよい。このロックは、片手または両手で操作可能で、本を開けるために使用され、それにより、パッケージングのロックが外される。パッケージングの内部部分は、第１および第２の側部が共にロックされる形で、ロッキング部分が提供される。こうしたロッキング部分は、第１および第２の側部を一緒に保持する磁石を含んでいてもよい。他の実施例では、ロッキング部分は、バネ錠、またはキーを要する錠、またはいったん開けると再ロック不能な錠である。ロッキング部分は、雌ロック部材に係合可能な雄ロック部材を含んでいてもよい。
【００５６】
第１および第２の外部部分は、内部部分の外部表面の少なくとも中央部分を覆い、さらに、内部部分の外部表面は、それぞれが、実質的に外部部分の形状および厚さに対応する、形状および深さを有する凹所を含んでいてもよい。したがって、外部部分は、外部部分の最外表面が、内部部分の最外表面と同じ高さになるよう、内部部分に取り付け可能である。
【００５７】
第１および第２の外部部分の形状は、曲げられ、または押出され、または圧伸されることにより提供されるのが好ましい。
【００５８】
内部部分は、パッケージング内で内側に伸びる、１つ以上の突起を含んでいてもよい。突起は、内部部分の一方の側部上に提供され、パッケージングが閉じられると、それが、内部部分の相対する側部に向かって要素を押すことになる。したがって、要素は、パッケージング内でさらに固定される。突起は、蝶番領域内の内部部分上に位置決めされるのが好ましく、さらにまた、ロッキング部分付近にある、内部部分の縁近傍領域内に位置決めされるのが好ましい。
【００５９】
第１および第２の外部部分は、金属材料を含んでいる。例えば、外部部分は、強化金属元素、および／または、繊維材料を含む合成物であってもよい。外部部分が各々異なる材料で製造されている実施例もあるが、若干の実施例では、外部部分は全て同じ材料で製造されている。例えば、外部部分は、アルミニウム、および／または、青銅、および／または、鉄鋼、および／または、ステンレススチール、および／または、鉄、および／または、マグネシウム、および／または、チタニウム、および／または、銅、および／または、ニッケル、および／または、亜鉛、および／または、銀、および／または、金、および／または、プラチナ、および／または、板金、および／または、ブリキ、または、その組み合わせを含む金属、および／または、合金で製造されていてもよい。
【００６０】
金属または非金属材料の層は、ホイル、段ボール、板紙、ベニヤ、重合体、織物、またはホイルの積層品で製造された、こうした実施例における外部部分上に提供可能である。
【００６１】
１つの実施例は、パッケージングの外側上に金属層を含んでいる。一例をあげると、この層は、装飾的効果を有する、金の層であってもよい。この金属層は、艶出しされ、または研削されてもよい。
【００６２】
若干の実施例では、第１および第２の部分の内部および／または外部の表面が、保護層、および／または、例えば着色などされた装飾層により、覆われ／コーティングされている。保護層は、外部部分に接触しているか、または、装飾層に接触していてもよい。保護層および／または装飾層は、内部および／または外部の表面の全体または一部分を覆うことができる。この層は、金属または非金属であってもよい。
【００６３】
内部部分は、非金属材料を含んでいる。例えば、内部材料は、紙、および／または、段ボール、および／または、ゴム、および／または、木、および／または、革、および／または、シリコン、および／または、ＰＰ、ＰＡ、ＰＭＭＡ、ＰＣ、ＰＥＬＤ、ＰＥＨＤ、ＰＥＴ、またはエラストマー、または重合体、またはゴム、またはその任意の組合せのような、プラスチック（重合体）で製造されていてもよい。
【００６４】
若干の実施例では、内部部分が、１つのプラスチックまたは他の非金属材料で製造された１つの部分、および、ポリプロピレンなどの他の非金属の材料で製造されている他の内部部分（例えば、蝶番部分）を含んでいる。
【００６５】
この要素は、内部部分の少なくとも一部分、および／または、第１および／または第２の外部部分と共に溶接されていてもよい。このようにして、初めて要素を使用するには、溶接された領域を破らなければならず、これにより、この要素が少なくとも一度は使用されているか否かを確認することができる。パッケージングは、１つ以上の箱を含んでいてもよい。
【００６６】
内部部分の少なくとも一部分は、パッケージング内の、少なくとも１つの要素の少なくとも一部分と係合する形で形成されてもよい。例えば、内部部分の一部分は、要素が内部部分に嵌合するように、要素と同一または実質的に同一の形状を有していてもよい。内部部分の形状は、要素の相補的な形状であり、すなわち、要素が丸い形状であれば、パッケージングの一部に丸い穴が提供され、その丸い形状が、その丸い穴と嵌合してもよい。
【００６７】
要素がパッケージング内に配置されると、前記パッケージングを１つの場所から他の場所まで移動するときに、またはパッケージングを振ったときに、要素がパッケージング内で動き回らないよう、固定することができる。内部部分、および／または、第１および第２の外部部分は、バネ錠または他の錠を用いて、要素と係合するよう適合した手段を含むことができる。こうした他の錠は、施錠し、および／または、開錠するためにキーを必要とするような錠であってもよい。また、錠は、要素を取り出すために、その一部を破損しなければならない種類のものであってもよい。これにより、要素が今までにパッケージングから取り出されたことがあるか否かを確認できる。要素が取り替え可能な実施例もあるが、他の実施例では、要素を取り替えることは不可能である。
【００６８】
１つの実施例では、内部部分の少なくとも一部分が、パッケージング内の予め決められた位置で少なくとも１つの要素を保持する形状となっている。内部要素は、要素の一部分のみが、予め決められた位置に保持されるような形状となっている。例えば、内部部分は、要素内の丸い穴と係合するよう適合した、丸い突起要素を含んでいてもよい。こうした要素は、ＣＤ、および／または、ＤＶＤ、または同様の穴および形状を有する他のいかなるデータ担持要素、または他のいかなるデータ担持要素であってもよいだろう。
【００６９】
パッケージングの内部部分は保持部材を含んでいてもよく、この保持部材は、要素を予め決定された位置に保持する保持位置と、要素を保持しない非保持位置との間で移動するよう適合している。保持部材は、要素内の穴と係合するような形状になっていてもよい。したがって、保持部材は、穴の側部の形状に相補的であってもよく、すなわち、穴が円形であれば、保持部材は半円形状の２つの部分を含む形状を有していてもよい。２つの半円に、物体または指が圧力を加えると、保持部材は、それが非保持位置へ移動すると共に、係合が解除されてもよい。保持部材が非保持位置にあると、要素を取り出すことができる。
【００７０】
内部部分は、内部部分の各側部上の１つなど、１つ以上の保持部材を含んでいてもよい。このように、パッケージングは、１枚、２枚、３枚以上の、ＣＤまたはＤＶＤなどの要素を格納可能である。
【００７１】
他の実施例では、内部部分は、円上に隣接して配置され、「リリースタップ」を囲み、ＣＤまたはＤＶＤの穴の縁と係合するよう適合した、複数の保持タップを有する保持部材を有している。これらのタップは、リリースタップを下向きに押すことにより、タップが前記穴と係脱し、それにより、タップからＣＤまたはＤＶＤを解放するよう、内部部分に関して上げられて位置決めされている。タップは、互いに積み重ねられた、１枚、２枚、または３枚のＣＤまたはＤＶＤを保持するよう適合しているのが好ましい。パッケージングは、例えば、１つが内部部分の各側部に位置決めされているなど、１つ以上（２つなど）のこうした保持部材を含んでいる。
【００７２】
保持部材が保持位置にあるとき、保持部材の下で、保持部材と内部部分および／または第１および第２の外部部分のうちの１つとの間に、物体を挿入することは可能である。物体を挿入した場合は、保持部材を、非保持位置に向かって移動することは不可能となる。これにより、要素を取り出せない状況となる。したがって、１つの実施例では、パッケージングは、保持位置内で保持部材を保持するよう適合した、セキュリティ部材を含んでいる。
【００７３】
セキュリティ部材は、パッケージングを開けなければ、このセキュリティ部材にアクセスできないような形状になっている。こうしたパッケージングの１つの利点は、パッケージングが今までに開けられたことがあったか否かを検出する手段が、パッケージングに提供されている場合、その製品が開けられていないなら、パッケーング内にセキュリティ部材が存在していることがわかることである。他の実施例では、セキュリティ部材が、パッケージングの外部から挿入可能になっている。したがって、例えば、製品の入荷次第、店側がセキュリティ部材を挿入することができる。これにより、店側が自ら選択したセキュリティシステムを使用可能となる。したがって、店側は、納入業者により供給されたセキュリティ部材をやむを得ず使うことがなくなる。セキュリティ部材は、米国特許第  Ｄ４６８  ６２１号で説明されているタイプであってもよい。
【００７４】
若干の実施例では、セキュリティ部材が、信号発生手段を含んでいる。こうした信号発生手段は、電磁信号、および／または、磁場を発生するよう適合させることができよう。したがって、パッケージングが、例えば、２つの信号検出手段の間などの特定領域から離れたときに、アラームを作動させることが可能である。パッケージングの少なくとも一部分が金属材料で製造されているので、パッケージングが磁場、および／または、電磁信号を遮蔽しないことが不可欠である。これは、ある領域から金属を排除し、それにより、残余金属が非常に薄くなり、磁場／信号が金属表面を通過可能になることで達成される。他の実施例では、アンテナが提供されてもよい。アンテナは、パッケージングの内部から外部へ磁場／信号を送信するよう適合している。若干の実施例では、第１および／または第２の外部部分がアンテナとしての役割を果たし、その結果、磁場／信号を送信する金属部分の能力が利用されている。
【００７５】
少なくとも１つの要素の一部分は、内部部分に一体化可能である。一例をあげると、本のスリーブまたはカバーが、内部部分の一部であってもよい。こうした一体化部分は、裂いたり、押し切ることにより、一体化部分を内部部分から取り除くことができる弱含み線により、内部部分の残りから分離されてもよい。内部部分は、元々内部部分と一体化された部分であったこうした要素を、保持する手段をさらに含んでいてもよい。
【００７６】
若干の実施例では、ホイルが内部部分に提供され、ホイルを取り除かなければ、要素にアクセスできなくなっている。取り除かれたホイルは、パッケージング内の製品に関する情報を含んでいてもよく、このため、例えば、パッケージングの外部から目視可能となるよう、取り除かれた後にそのホイルを保持する手段も提供可能である。ホイルは、レーザープリンタ内に配置可能となるよう製造することができ、その結果、例えば、パッケージング内に保持された光学記録ディスク上に格納された音楽についての情報などを、その表面に印刷することができる。
【００７７】
内部部分の少なくとも一部分は、第１および第２の外部部分、および／または、他の内部部分と関連してスライド可能となっていてもよい。スライド可能部分は、それがパッケージング内に格納されている保護位置と、それがパッケージングの外へスライドされ、それによって、アクセス可能となるアクセス可能位置との間で、スライド可能となっている。こうしたスライド可能部分は、格納された要素と係合するよう適合した、突起部分を含んでいてもよい。スライド可能部分は、パッケージングから外へ回転可能でもよい。複数のスライド可能および／または回転可能部分が、パッケージング内に提供可能である。
【００７８】
若干の実施例では、内部部分、および／または、第１および第２の外部部分は、磁気特性を含んでいてもよい。磁気特性は、磁力により要素を保持可能にする。例えば、磁力により吸着可能な金属材料で製造された光学記録媒体を、予め決定された位置で保持することができる。一例をあげると、スライド可能部分は、特定位置に磁石を含む、プラスチック材料で製造可能であり、その部分がパッケージングの外側へスライドすると、磁石により光学要素を保持するスライド可能部分に、ディスクが位置していることになる。
【００７９】
１つの実施例では、格納された要素は、中央穴を含んでいる光学または電子媒体のような、光学または電子媒体を含んでいる。格納された要素の直径は、１１９．７〜１２０．３ミリメートルの間、または７８．８〜８０．２ミリメートルの間であってもよい。若干の実施例では、要素の直径は、５〜３００ミリメートルの間、１０〜２５０ミリメートルの間、２０〜２００ミリメートルの間、５０〜１５０ミリメートルの間、７５〜１２５ミリメートルの間のように、１０〜５００ミリメートルの間である。光学記憶媒体の中央穴の直径は、１５．２５〜１５．３５ミリメートルの間、または１５．３〜１５．４ミリメートルの間であってもよい。他の実施例では、中央穴の直径は、５〜２５ミリメートルの間、１０〜１５ミリメートルの間のように、１〜５０ミリメートルの間である。
【００８０】
内部部分の少なくとも一方の側部は、ＣＤのための固定具を含んでいてもよい。この固定具は、中央穴、またはディスクの外部縁において、ＣＤと係合可能である。
【００８１】
パッケージングの第１の外部寸法は、１３５．１〜１３６．８ミリメートルの間であってもよい。第１の外部寸法は、パッケージングの幅であってもよい。パッケージングの第２の外部寸法は、１９０．２〜１９２．０ミリメートルの間であってもよい。第２の外部寸法は、パッケージングの長さであってもよい。パッケージングの第３の外部寸法は、１４．７〜１５．３ミリメートルの間であってもよい。第３の外部寸法は、パッケージングの厚みであってもよい。パッケージングが従来型の自動包装装置で包装されるためには、第１および第２の寸法が特に重要である。
【００８２】
自動包装装置は、通常、Ｉｌｓｅｍａｎｎ  ＫＶＤ−３０、Ｋｙｏｔｏ  ＤＶＤ１００、およびＧＩＭＡ  ＤＶＤ８７２と呼ばれるタイプであろう。
【００８３】
若干の実施例では、第１および／または第２および／または第３の外部寸法は、２５〜３０００ミリメートルの間、５０〜２０００ミリメートルの間、７５〜１５００ミリメートルの間、１００〜１２５０ミリメートルの間、１５０〜１０００ミリメートルの間、１７５〜７５０ミリメートルの間、２００〜５００ミリメートルの間、３００〜４００ミリメートルの間のように、１０〜５０００ミリメートルの間である。
【００８４】
しかしながら、代替的実施例では、第１の外部寸法が１２４．６〜１２５．０ミリメートルの間であってもよく、および／または、第２の外部寸法が１４２．２〜１４２．６ミリメートルの間であってもよく、および／または、第３の外部寸法が６．９〜７．１ミリメートルの間、または１０．２〜１０．６ミリメートルの間であることも可能であろう。また、こうした実施例は、自動包装装置で包装されることができる。
【００８５】
若干の実施例では、第１および／または第２の外部部分は、装飾を含んでいる。装飾は、テキスト、写真、図面などを含んでいてもよく、さらに、パッケージングの内容についての情報を含んでいてもよい。内容がデータ担持媒体である場合、装飾は、媒体上に含まれる歌、ファイル、または映画についての詳細を説明するものでもよい。装飾はパッケージング全体または一部分を覆っていてもよい。パッケージングの内部および外部の側部の双方に装飾があるよう、第１および／または第２の外部部分の各側部が装飾されているのが好ましい。この実施例では、内部部分は、内部側部上の装飾が目視できるよう透明になっている。この組合せにより、装飾の独自の可能性が実現され、それにより、パッケージングに視覚上の効果を与えるものとなる。
【００８６】
本発明の１つの実施例では、パッケージングの内部または外部の表面上に、表面装飾飾りを含むことができる。こうした表面装飾飾りは、ホログラム、格子、写真、またはいかなる他の種類の表面装飾飾りであってもよい。この表面装飾飾りは、真性な製品であることを証明するような、セキュリティ目的に使用されてもよい。表面装飾飾りは、製品の識別、または価格情報として役立つこともある。ホログラムは、光学読取り装置で読み取り可能であり、それにより、パッケージング内に含まれる情報パッケージングの部分を形成してもよい。表面装飾飾りは、第１および／または第２外部部分の表面内に浮彫りにされていてもよい。浮彫り処理は、ローラーまたはスタンプ処理を用いて実行されてもよい。
【００８７】
パッケージングは、その上部または底部に、例えば作曲家の名前、およびデータ担持媒体のタイトルなど、パッケージングの内容を示す、浮彫りにされた表面装飾飾りを提供されてもよい。したがって、このパッケージングは、棚の上または引き出しの中に積み重ねられていても、他のパッケージングと区別可能である。第１および第２の外部部分は、パッケージングの外側および／または内側の双方の、１つ以上の表面上に、浮彫りにされた表面装飾飾りおよび／またはグラフィック印刷を含んでいてもよい。
【００８８】
パッケージングは、メモリカードのような、コンピュータにより読み込み可能なメモリ要素を含み、かつ収容するよう適合させることができる。
【００８９】
若干の実施例では、表面装飾飾りは、基板処理装置により浮彫りを施されるが、前記装置は、ツールプランと反応プランを有しており、ツールプランは以下のような多層構造を含んでいる：
実質的に硬い外部表面を有するコア、および、
コアの表面に取り付けられた、少なくとも１つのツール、
【００９０】
ここで、フレキシブルな力吸収手段が、平面により適用される力を局所的に吸収するよう、ツールプランおよび／または反応プランの少なくとも一部分に提供される。フレキシブルな力吸収手段は、ツールをツールプランに取り付けるのに使用される両面粘着テープであってもよい。テープのフレキシブルな特性は、適用される圧力における局所的相違を吸収するために使用される。浮彫りにする方法は、国際特許出願第ＰＣＴ／ＤＫ０２／００７８７号で説明されており、これは、参照により本明細書に組み込まれる。
【００９１】
内部部分、すなわち、側部のうちの１つは、実質的に透明であってもよい。したがって、装飾または表面装飾飾りは、透明材料を通して両側部から目視可能である。これにより、第１および第２の外部部分の、内側または外側の表面上に提供された情報が目視可能となる。さらなる視覚効果を提供するために、内部部分は、透明な色を含むことができる。若干の領域では色は固形物であってもよく、すなわちその色は透明ではなく、他の領域の色は透明であってもよい。例えば、表面装飾飾りが、第１および第２の外部部分の内部表面に提供されている場合、透明な色により、表面装飾飾りの若干の領域が着色されるという視覚効果が与えられる。表面装飾飾りおよび／または装飾にも、さらなる色が提供可能である。したがって、デザイナーには、装飾および／または表面装飾飾り上に、直接、色を提供する可能性が提供されることになる。他のオプションでは、内部部分上に装飾および／または表面装飾飾りを提供することにより、デザイナーがそれから離れた色を提供することが可能となる。内部部分は、テキスト、ロゴ、マーク、つや消し／研削、高度の透明表面を提供可能であり、または、ラベル、ホログラム、または金属層を提供して装飾することも可能である。
【００９２】
第２態様によると、本発明は、中央穴を含むデータ担持媒体を、パッケージング内に保持するための保持部材に関連しており、その部材は、ベース部分上の円上に隣接して配置され、リリースタップを囲む複数のタップを含んでおり、タップは前記穴の縁と係合するよう適合しており、さらに、タップは、前記ベース部分に向かってリリースタップを押すと、媒体からタップをリリースするよう適合した形で、前記ベース部分に対して高い位置に位置決めされている。
【００９３】
媒体は、ＣＤまたはＤＶＤを含んでおり、保持部材は、１枚、２枚、または３枚の、積み重ねられたＣＤまたはＤＶＤを保持するよう適合しているのが好ましい。
【００９４】
第３態様によると、本発明は、要素を格納するよう適合したパッケージングに関連しており、そのパッケージングは、１つ以上の外部部分および１つの内部部分を含み、その内部部分は、ヒンジング部分により相互連結された第１の側部および第２の側部を含み、さらに、外部部分は、それぞれ、その第１および／または第２の側部に取り付けられている。
【００９５】
外部部分は、それぞれ側部に、接着剤、および／または、溶接、および／または、バネ錠を用いて取り付けられているか、または、成形、またはカーリング、または曲がり、または同様のものを用いて、内部部分と一体化されていてもよい。
【００９６】
内部部分は、透明プラスチック、または着色プラスチックなどのプラスチックで製造されていてもよく、さらに、外部部分は、金属で製造されていてもよい。
【００９７】
内部部分は、それらの間にクリック‐オン取り付けを提供するために、外部部分上に提供された、対応する突起を受けるくぼみを、円周に沿って含んでいてもよい。外部部分はＵ字形をしており、そのＵ字形の脚が、前記突起を含んでいるのが好ましい。したがって、外部部分は内部部分へクリック‐オンされ、その内部部分は、本発明に従う内部部分、または他の内部部分であってもよい。
【００９８】
内部部分は、各側部上に、それぞれが、実質的に外部部分の形状および厚みに対応する、形状および深さを有する凹所を含んでいてもよい。
【００９９】
外部部分の形状は、曲げ、または押出しにより提供される。
【０１００】
様々な態様の各々に従うパッケージングは、他の態様と関連して言及された、いかなる特徴を含んでいてもよい。
【０１０１】
本発明の実施例は、図面を参照して詳細に説明される。
【発明を実施するための最良の形態】
【０１０２】
図１には、ヒンジング部分８により相互連結された第１の側部４および第２の側部６を伴う、内部部分を含むパッケージング２を示している。パッケージング２は、本のように開けることが可能であり、それによって、側部４、６は、本の表紙のように、回転して互いから離れてもよい。第１の外部部分１０は側部４に取り付けられており、さらに第２の外部部分１２は側部６に取り付けられている。側部４は、外部部分１０に取り付けられた、下部内部要素１４をさらに含んでいる。これらの２つは一緒に接着されている。同様に、第２の側部６は、外部部分１２に接着された、上部内部要素１６を含んでいる。外部部分１０、１２は金属材料で製造されており、内部部分１４、１６はプラスチック材料で製造されている。上部内部要素１６は、光学要素を係合手段１８を用いて格納するよう適合している。係合手段１８は円形をしており、外部リング２０、および前記リングの中央に保持要素（図示せず）を含んでいる。外部リング２０は、記憶媒体を把持するのをさらに容易にする、くぼみ２２を含んでいる。下部内部要素１４は、縦方向補強バー２４、および横方向補強バー２６を含んでいる。下部内部要素１４は、例えば、光学記録媒体についての情報を含む小冊子などの要素を保持する、２つの保持部材２８をさらに含んでいる。下部部分４および上部部分６は、パッケージングを本のように開ける際に、ユーザが使用可能な、取扱いくぼみ３０を含んでいる。記憶媒体２を開けるときには、雄ロック部材３２は、雌ロック部材３４を係脱する。
【０１０３】
図２は、第１の側部４、第２の側部６、およびヒンジング部分８を含む、２つのパッケージング２を示している。パッケージングは、取扱いくぼみ３０をさらに含んでいる。
【０１０４】
図３は、第１の側部４、および第２の側部６、およびヒンジング部分８を含む、パッケージング２の断面図を示している。この図は、矢印３６により示されるように可動となっている保持部材２８を示している。雄ロック部材３２は、雌ロック部材３４の縁４０と係合するよう適合した、突起部分３８を含んでいる。図には、取扱いくぼみ３０が示されている。
【０１０５】
図４〜９は、中間部分４４を有する、第１および／または第２の外部部分４２の、異なる実施例を示している。この部分は、中間部分４４に対して横方向にまたは垂直に伸びる、第１のフランジ４６を提供するために、曲げられた金属材料で製造されている。若干の実施例では、第１のフランジ４６は、内部要素５４が、外部部分４２から取り除かれるために越えなければならない第２のフランジ４８を形作るよう、さらに曲げられている（図７〜９を参照）。他の実施例では、第１のフランジ４６または第２のフランジ４８は、カールされた縁部分５０を形成している。しかし、他の実施例では、第１のフランジ４６は突起５２を形成している。突起５２、カールされた縁部分５０、および第２のフランジ４８は、内部要素５４を保持するよう適合していてもよい。若干の実施例では、第２のフランジ４８は、図７（Ａ−Ａ’）および図８に示されるように、フランジ４６の周囲全体に沿って提供されている。他の実施例では、第２のフランジ４８は、図７（Ｂ−Ｂ’）および図９に示されるように、第１のフランジ４８に沿った異なる位置に提供されている。
【０１０６】
図１０は、ＣＤまたはＤＶＤと係合し、および保持する保持部材を含む、パッケージング２の内部部分６０の側部（図１の上部部分６など）の断面図を示している。保持部材は、円上に隣接して配置され、「リリースタップ」５６を囲む、複数の保持タップ５５を有している。タップ５５は、ＣＤまたはＤＶＤの穴の縁と嵌合するよう適合している。タップ５５、５６は、内部部分のベース５８に対して立ち上げられて位置決めされ５７ており、そのため、リリースタップを下向きに押すことにより、タップは前記穴と係脱し、その結果、タップからＣＤまたはＤＶＤを解放する。
【０１０７】
係合手段は、ＣＤまたはＤＶＤを囲む、複数の半円５９をさらに含んでいる。
【０１０８】
外部部分６２の縁部分６１は内部部分６０を保持し、さらに、内部部分６０の側壁は補強リブ６３を含んでいる。
【０１０９】
図１１は、側部６４、６５、および蝶番部分６６を含む、開けられたパッケージングの横断面図を示している。１つの単一の内部部分６０が、パッケージングの左右側部の双方、およびヒンジング部分を構成している。外部金属部分６２が内部部分の２つの側部のうちの１つに取り付けられ、そして、外部金属部分６７は内部部分の蝶番部分に取り付けられている。各外部金属部分６２は、パッケージングの後部縁部を構成する縁部分６８を含んでいる。ヒンジング部分６６は、パッケージングが閉じられるとき、ヒンジング部分６６が金属部分のコーナー６９と一列になるように、金属部分６２の高さから距離おいて移動する。パッケージング２を開けるときは、雄ロック部材３２は、雌ロック部材３４を係脱する。ヒンジング部分は補強リブ７０を含んでいる。
【０１１０】
外部部分６２と内部部分６０の間には、外部部分内の浮彫りの装飾飾りのためのスペースを提供する、小さなスペースが提供されている。
【０１１１】
図１２は、矢印３６により示されるように可動となっている、保持部材２８の断面図を示している。
【０１１２】
図１３は、開けられた状態のパッケージングを示している。
【０１１３】
図１４〜１５は、閉じている状態のパッケージングを、それぞれ前側および後側から示している。内部部分の後部部分７１は、２つの側部の間の蝶番接続を構成しており、さらに、後部部分は、金属部分／層７２で覆われている。図示されたように、後部縁は、パッケージングが閉じているとき、後部部分７１がパッケージングの後部側部の最外縁７３の高さ上となるよう、内部部分の各２つの側部の内部領域へ向かって内向きに移動する。外部部分６２内には、パッケージングを開けるためのハンドグリップ７６が提供される。
【０１１４】
図１６は、外部部分６２および金属層７２から取り外される内部部分６０を示している。
【０１１５】
図１７および１７Ａは、外部部分６２から取り外された内部部分６０を示しており、外部部分は、内部部分とクリック‐オンされる、２つのＵ字形の金属部分を含んでいる。内部部分６０は、Ｕ字形の金属部分の脚７５が、そこをクリックすると掴まれる、くぼみ７４を有している。
【０１１６】
図１８は、外部部分６２が、内部部分６０とクリック‐オンされる、開いたパッケージングを示している。また、互いに隣り合って積み重ねられる、複数のパッケージングが示されている。
【０１１７】
図１９〜２０は、外部部分６２が内部部分６０とクリック‐オンされる、開いたパッケージングを示している。図示したように、パッケージングは、１８０°超、好適には２４０°の角度（α）で本のように開けられる。したがって、パッケージングを、それを包装する従来の包装装置に入れることは可能である。
【０１１８】
図２１は、２つの側部６４、６５を伴う内部部分、および、内部部分の各側部あたり１つの、２つの蝶番７７を備えたヒンジング部分を形成する後部部分７１を含んでいる、パッケージングの実施例の断面図を示している。蝶番７７は、各々が溝７８を形作っており、前記溝は、各外部上の曲がった縁として提供された突起８０が溝７７に、それぞれ入り、かつ係合可能であるので、第１および第２の外部部分７９が内部部分とクリック‐オンするために提供される。また、後部部分を覆う金属層／部分（図示せず）は、クリック‐オンにより後部部分に取り付け可能である。したがって、前記外部部分および金属部分／層上のいかなる鋭い縁も、前記溝により隠されるか、または囲まれることが可能で、その結果、いかなる鋭い縁も目視および接触が不能である。溝は、突起８０が前記部分を補強する、外部部分および／または金属層／部分の縁の全長に沿って伸びることができるよう、蝶番の全長に沿って伸びているのが好ましい。
【０１１９】
図２１に見られるように、図示のように１８０°の角度でパッケージングが開けられるとき、２つの蝶番の間の後部部分７１の高さは、内部部分の２つの側部６４、６５の高さより高くなる。この実施例では、パッケージングが閉じられるとき、後部部分がパッケージングの内側へさらに移動することが可能で、それにより、強度が増し、内部部分が外部金属部分により良好に覆われて、さらに滑らかな仕上げが提供される。
【０１２０】
図２２Ａ〜２２Ｅは、本発明に従うパッケージングの実施例を示している。内部部分６０は、内部部分６０へ第１および第２の部分６２をロックする、突起として提供される止めピン８１を含んでいる。前記ピン８１は、パッケージングを開けるためのハンドグリップを形作る、第１および第２の部分６２上のくぼみ８２に隣接する位置で、内部部分６０上に提供される。ピン８１は、その間にロックを提供するために、第１および第２の部分の縁部分８３にそれぞれ係合し、さらに、その結果、偶然に、内部部分６０から第１および第２の部分６２が取り外されるのを回避する。
【０１２１】
図２３Ａ〜２３Ｃは、自動包装装置で包装されるための好適な寸法を伴う、パッケージングを示している。したがって、本発明に従うパッケージングは、これらの寸法を満たすよう開発されている。前記寸法は、好適には以下の通りである；
Ａ：２８２ｍｍ〜２８４ｍｍ、
Ｂ：  １９１ｍｍ±０．８ｍｍ、
Ｃ：  １３５．６ｍｍ＋０．９／−０．５、
Ｄ：  １５ｍｍ±０．５、
Ｅ：  ６８．７ｍｍ〜７０．３ｍｍ。
【０１２２】
図２４は、従来技術のパッケージングを示している。このパッケージングは、既知のパッケージングの一例であり、最大２４０°ではなく、およそ１９０°（α）を超えては曲げることができず、さらに、その結果として、本発明に従うパッケージングのように、普通の自動包装装置で包装することはできない。
【０１２３】
図２５は、本発明に従うパッケージング２を包装する、自動包装装置（Ｉｌｓｅｍａｎｎ）を示している。空のパッケージング２は、コンテナ８４内に格納されており、そこからパッケージング２がコンベア８５にロードされる。パッケージング２は、ほぼ１８０°の角度以内で開けられ、その後、ＣＤまたはＤＶＤ、および他の材料が、回転包装モジュール８６によりパッケージング２に導入され、そのモジュール８６内で、パッケージング２は後方に１８０°超、好適には２４０°の角度で曲げられる。
【０１２４】
コンベア８５の終端で、パッケージングは閉じられ、他のパッケージングと共に包装され、山８７に積み重ねられる。
【図面の簡単な説明】
【０１２５】
【図１】開けられたパッケージングを示す図である。
【図２】本発明に従う、閉じられたパッケージングを示す図である。
【図３】パッケージングの断面図である。
【図４】第１および第２の側部と、外部の第１および第２の部分の取り付けの実施例を示す図である。
【図５】第１および第２の側部と、外部の第１および第２の部分の取り付けの実施例を示す図である。
【図６】第１および第２の側部と、外部の第１および第２の部分の取り付けの実施例を示す図である。
【図７】第１および第２の側部と、外部の第１および第２の部分の取り付けの実施例を示す図である。
【図８】第１および第２の側部と、外部の第１および第２の部分の取り付けの実施例を示す図である。
【図９】第１および第２の側部と、外部の第１および第２の部分の取り付けの実施例を示す図である。
【図１０】パッケージングの横断面図である。
【図１１】パッケージングの横断面図である。
【図１２】パッケージングの横断面図である。
【図１３】パッケージングを示す図である。
【図１４】パッケージングを示す図である。
【図１５】パッケージングを示す図である。
【図１６】パッケージングを示す図である。
【図１７】パッケージングを示す図である。
【図１７Ａ】パッケージングを示す図である。
【図１８】パッケージングを示す図である。
【図１９】パッケージングを示す図である。
【図２０】パッケージングを示す図である。
【図２１】パッケージングを示す図である。
【図２２Ａ】パッケージングを示す図である。
【図２２Ｂ】パッケージングを示す図である。
【図２２Ｃ】パッケージングを示す図である。
【図２２Ｄ】パッケージングを示す図である。
【図２２Ｅ】パッケージングを示す図である。
【図２３Ａ】パッケージングを、包装装置で包装されるのに好適な寸法により示す図である。
【図２３Ｂ】パッケージングを、包装装置で包装されるのに好適な寸法により示す図である。
【図２３Ｃ】パッケージングを、包装装置で包装されるのに好適な寸法により示す図である。
【図２４】従来技術のパッケージングを示す図である。
【図２５】本発明に従うパッケージングを包装する、自動包装装置を示す図である。
【符号の説明】
【０１２６】
４  第１の側部、６  第２の側部、８  ヒンジング部分、１０  第１の外部部分、１２  第２の外部部分、１４  下部内部要素、１６  上部内部要素、１８  係合手段、２０  外部リング、２２  くぼみ、２４  縦方向補強バー、２６  横方向補強バー、２８  保持部材、３０  くぼみ。
【図１】
2006513941.tif 000003
【図２】
2006513941.tif 000004
【図３】
2006513941.tif 000005
【図４】
2006513941.tif 000006
【図５】
2006513941.tif 000007
【図６】
2006513941.tif 000008
【図７】
2006513941.tif 000009
2006513941.tif 000010
【図１０】
2006513941.tif 000011
【図１１】
2006513941.tif 000012
【図１２】
2006513941.tif 000013
【図１３】
2006513941.tif 000014
【図１４】
2006513941.tif 000015
【図１５】
2006513941.tif 000016
【図１６】
2006513941.tif 000017
【図１７】
2006513941.tif 000018
2006513941.tif 000019
【図１８】
2006513941.tif 000020
【図１９】
2006513941.tif 000021
【図２０】
2006513941.tif 000022
【図２１】
2006513941.tif 000023
2006513941.tif 000024
【図２２Ｂ】
2006513941.tif 000025
【図２２Ｃ】
2006513941.tif 000026
【図２２Ｄ】
2006513941.tif 000027
【図２２Ｅ】
2006513941.tif 000028
2006513941.tif 000029
【図２４】
2006513941.tif 000030
【図２５】
2006513941.tif 000031
【国際調査報告】
2006513941.tif 000032
2006513941.tif 000033
2006513941.tif 000034